【手続補正書】
【提出日】平成20年6月17日(2008.6.17)
【手続補正１】
【補正対象書類名】特許請求の範囲
【補正対象項目名】全文
【補正方法】変更
【補正の内容】
【特許請求の範囲】
【請求項１】
第１の端末と第２の端末との通信を行なうサーバの利用を予め許可された携帯端末であって、
前記第１の端末と通信するための通信手段と、
前記サーバを用いた前記第１の端末と前記第２の端末との通信の利用要求を、前記通信手段を用いて前記第１の端末に送信するための手段とを含み、
前記利用要求には、前記携帯端末を特定する情報および前記第２の端末を特定する情報の少なくともいずれかの情報が、前記第１の端末では解読できない状態で含まれる、携帯端末。
【請求項２】
前記携帯端末は、
前記第１の端末と共有しない暗号鍵を記憶するための記憶手段と、
前記記憶手段に記憶された前記暗号鍵を用いて前記利用要求を暗号化するための暗号化手段とをさらに含む、請求項１に記載の携帯端末。
【請求項３】
前記携帯端末は、
音声を第１の音声情報として集音するための集音手段と、
前記集音手段によって集音された前記第１の音声情報を、前記第２の端末に送信するために、前記第１の端末に送信するための手段と、
前記第２の端末から前記第１の端末へ送信された第２の音声情報を、前記第１の端末から受信するための受信手段と、
前記受信手段によって受信した前記第２の音声情報を音声として出力するための手段とをさらに含む、請求項１または２に記載の携帯端末。
【請求項４】
前記携帯端末は、前記利用要求に基づいた前記第１の端末と前記第２の端末との通信が行われる場合に、前記第２の端末のユーザの携帯電話に電話をかけるための手段をさらに含む、請求項１または２に記載の携帯端末。
【請求項５】
ネットワークに接続された端末装置にデータを送信する携帯端末であって、
各々が通信相手を示す複数の情報を記憶するための記憶手段と、
前記記憶手段に記憶された前記複数の情報を表示するための表示手段と、
ユーザの指示によって前記表示手段に表示された前記複数の情報から通信相手を選択するための選択手段と、
前記ネットワークを用いた前記端末装置と前記選択手段により選択された通信相手の端末との通信の利用要求であって、前記通信相手の端末を特定する情報を前記第１の端末では解読できないように暗号化した利用要求を生成するための生成手段と、
前記生成手段によって生成された前記利用要求を前記端末装置に送信するための手段とを含む、携帯端末。
【請求項６】
携帯端末との通信が可能な第１の端末であって、前記第１の端末は、サーバを経由して第２の端末との通信が可能であり、
前記第２の端末を特定する情報が含まれた利用要求を前記携帯端末から受信するための利用要求受信手段と、
前記利用要求受信手段によって受信した前記利用要求を前記サーバに送信するための送信手段と、
前記第２の端末にデータを送信するための情報であって、前記送信手段によって前記サーバに送信された前記利用要求に含まれる前記第２の端末を特定する情報と対応した暫定的な送信先情報を含む情報を、前記サーバから受信するための暫定情報受信手段と、
前記暫定情報受信手段によって前記サーバから受信した情報に基づいて、前記サーバを経由して前記第２の端末にデータを送信するための手段とを含み、
前記利用要求には、前記第２の端末を特定する情報が、前記第１の端末では解読できない状態で含まれる、第１の端末。
【請求項７】
前記サーバから受信した情報には、前記サーバを利用して行なわれた前記第１の端末と前記第２の端末との通信に対する課金のための情報が含まれる、請求項６に記載の第１の端末。
【請求項８】
前記第１の端末は、前記サーバから受信した情報に基づいて、前記第２の端末との通信を開始するための手段をさらに含む、請求項６または７に記載の第１の端末。
【請求項９】
前記利用要求には、前記第２の端末を特定する情報に加えて、前記携帯端末を特定する情報が、前記第１の端末では解読できない状態で含まれる、請求項６〜８のいずれかに記載の第１の端末。
【請求項１０】
第１の端末および第２の端末と通信するサーバであって、
前記サーバを用いた前記第１の端末と前記第２の端末との利用要求であって、前記第２の端末を特定する情報が含まれた利用要求を、前記第１の端末から受信するための受信手段と、
前記受信手段によって受信した利用要求に含まれる前記第２の端末を特定する情報と対応した暫定的な送信先情報を生成するための暫定情報生成手段と、
前記暫定情報生成手段によって生成された前記暫定的な送信先情報を含む情報を前記第１の端末に送信するための手段とを含み、
前記利用要求には、前記第２の端末を特定する情報が、前記第１の端末では解読できない状態で含まれる、サーバ。
【請求項１１】
前記受信した利用要求は暗号化されており、
前記サーバは、
前記暗号化された利用要求を復号する暗号鍵を記憶するための手段と、
前記利用要求を前記暗号鍵を用いて復号するための復号手段とをさらに含む、請求項１０に記載のサーバ。
【請求項１２】
前記サーバは、前記第１の端末および前記第２の端末のいずれか一方の端末から受信した通信データを他方の端末に転送するための転送手段をさらに含む、請求項１０または１１に記載のサーバ。
【請求項１３】
前記転送手段は、前記第２の端末を特定する情報と前記暫定的な送信先情報とを相互に交換して、前記通信データを転送するための手段を含む、請求項１２に記載のサーバ。
【請求項１４】
前記サーバは、前記サーバを利用して行なわれた前記第１の端末と前記第２の端末との通信に対する課金のための課金情報を生成するための課金情報生成手段と、
前記課金情報生成手段によって生成された前記課金情報を記憶するための手段とをさらに含む、請求項１０〜１３のいずれかに記載のサーバ。
【請求項１５】
第１の端末と第２の端末との通信を行なうサーバの利用を予め許可された携帯端末を制御する制御装置が行なう通信方法であって、
前記サーバを用いた前記第１の端末と前記第２の端末との通信の利用要求であって、前記第２の端末を特定する情報を前記第１の端末では解読できないように暗号化した情報を含む利用要求を生成する生成ステップと、
前記生成ステップで生成された前記利用要求を前記第１の端末に送信するステップとを含む、通信方法。
【請求項１６】
請求項１５に記載の通信方法をコンピュータに実行させるためのプログラム。
【請求項１７】
携帯端末との通信が可能な第１の端末を制御する制御装置が行なう通信方法であって、前記第１の端末は、サーバを経由して第２の端末との通信が可能であり、
前記第２の端末を特定する情報が含まれた利用要求を前記携帯端末から受信する利用要求受信ステップと、
前記利用要求受信ステップで受信した前記利用要求を前記サーバに送信する送信ステップと、
前記第２の端末にデータを送信する情報であって、前記送信ステップで前記サーバに送信された前記利用要求に含まれる前記第２の端末を特定する情報と対応した暫定的な送信先情報を含む情報を、前記サーバから受信する暫定情報受信ステップと、
前記暫定情報受信ステップで前記サーバから受信した情報に基づいて、前記サーバを経由して前記第２の端末にデータを送信するステップとを含み、
前記利用要求には、前記第２の端末を特定する情報が、前記第１の端末では解読できない状態で含まれる、通信方法。
【請求項１８】
請求項１７に記載の通信方法をコンピュータに実行させるためのプログラム。
【請求項１９】
第１の端末および第２の端末と通信するサーバを制御する制御装置が行なう通信方法であって、
前記サーバを用いた前記第１の端末と前記第２の端末との利用要求であって、前記第２の端末を特定する情報が含まれた利用要求を、前記第１の端末から受信する受信ステップと、
前記受信ステップで受信した利用要求に含まれる前記第２の端末を特定する情報と対応した暫定的な送信先情報を生成する暫定情報生成ステップと、
前記暫定情報生成ステップで生成された前記暫定的な送信先情報を含む情報を前記第１の端末に送信するステップとを含み、
前記利用要求には、前記第２の端末を特定する情報が、前記第１の端末では解読できない状態で含まれる、通信方法。
【請求項２０】
請求項１９に記載の通信方法をコンピュータに実行させるためのプログラム。
【請求項２１】
第１の端末と、第２の端末と、前記第１の端末と前記第２の端末との通信を行なうサーバと、前記サーバの利用を予め許可された携帯端末とで構成される通信システムであって、
前記携帯端末は、
前記第１の端末と通信するための通信手段と、
前記サーバを用いた前記第１の端末と前記第２の端末との通信の利用要求であって、前記第２の端末を特定する情報が含まれる利用要求を、前記通信手段を用いて前記第１の端末に送信するための手段とを含み、
前記第１の端末は、
前記利用要求を前記携帯端末から受信するための利用要求受信手段と、
前記利用要求受信手段によって受信した前記利用要求を前記サーバに送信するための送信手段とを含み、
前記サーバは、
前記利用要求を前記第１の端末から受信するための受信手段と、
前記受信手段によって受信した利用要求に含まれる前記第２の端末を特定する情報と対応した暫定的な送信先情報を生成するための暫定情報生成手段と、
前記暫定情報生成手段によって生成された前記暫定的な送信先情報を含む情報を前記第１の端末に送信するための手段とを含み、
前記第１の端末は、さらに、
前記暫定的な送信先情報を含む情報を、前記サーバから受信するための暫定情報受信手段と、
前記暫定情報受信手段によって前記サーバから受信した情報に基づいて、前記サーバを経由して前記第２の端末にデータを送信するための手段とを含み、
前記利用要求には、前記第２の端末を特定する情報が、前記第１の端末では解読できない状態で含まれる、通信システム。
【請求項２２】
コンテンツを再生する情報処理装置との通信を行なう携帯端末であって、
コンテンツを記憶するための記憶手段と、
前記記憶手段に記憶されたコンテンツを特定する特定情報を生成するための生成手段と、
前記生成手段によって生成された前記特定情報を含む第１の要求を前記情報処理装置へ送信するための第１の送信手段と、
前記第１の要求に応答して前記情報処理装置から送信される、前記第１の要求に含まれる前記特定情報を含む第２の要求を受信するための受信手段と、
前記受信手段によって受信した前記第２の要求に応答して、前記第２の要求に含まれる前記特定情報によって特定されるコンテンツを前記情報処理装置に送信するための第２の送信手段とを含む、携帯端末。
【請求項２３】
前記第１の送信手段は、前記生成手段によって生成された前記特定情報に加えて、複数の暗号鍵を、前記第１の要求として前記情報処理装置へ送信し、
前記受信手段は、前記第１の要求に含まれる前記特定情報に加えて、前記第１の要求に含まれる前記複数の暗号鍵のうちのいずれかの暗号鍵を指定する暗号鍵指定情報を、前記第２の要求として前記情報処理装置から受信し、
前記第２の送信手段は、前記第２の要求に含まれる前記特定情報によって特定されるコンテンツを、前記第２の要求に含まれる前記暗号鍵指定情報によって指定された暗号鍵で暗号化して前記情報処理装置に送信する、請求項２２に記載の携帯端末。
【請求項２４】
コンテンツを再生する情報処理装置との通信を行なう携帯端末であって、
第１のコンテンツを記憶するための記憶手段と、
前記記憶手段に記憶された前記第１のコンテンツとは異なる第２のコンテンツを特定する情報を、前記情報処理装置による前記第２のコンテンツの再生が可能な形式で前記情報処理装置へ送信するための送信手段とを含む、携帯端末。
【請求項２５】
前記情報処理装置は、インターネットを経由して接続されるサーバとの通信が可能であり、
前記第２のコンテンツは、前記サーバに記憶され、
前記送信手段は、前記第２のコンテンツを特定する情報を、前記情報処理装置による前記サーバからの前記第２のコンテンツの取得が可能な形式で前記情報処理装置へ送信する、請求項２４に記載の携帯端末。